(57)【特許請求の範囲】
【請求項１】
イオン交換水と、生きている消臭性バクテリアと、炭素原子数が１〜３の低級脂肪族アルコールとを含有してなり、当該低級脂肪族アルコールの濃度が０．５〜１５体積％の範囲内であり、当該消臭性バクテリアに対して栄養分となる物質が存在しない原液が、噴射剤と共に、エアゾール容器内に充填されてなることを特徴とする消臭用エアゾール製品。
【請求項２】
消臭性バクテリアが、バシルスサブチリス（Ｂａｃｉｌｌｕｓ  ｓｕｂｔｉｌｉｓ）、バシルスメガテリウム（Ｂａｃｉｌｌｕｓ  ｍｅｇａｔｅｒｉｕｍ）、およびバシルスリケニフォルムス（Ｂａｃｉｌｌｕｓ  ｌｉｃｈｅｎｉｆｏｒｍｕｓ）の３種が混合された芽胞菌であることを特徴とする請求項１に記載の消臭用エアゾール製品。
【請求項３】
原液において、消臭性バクテリアが１×１０4 〜１×１０11個／ミリリットルの割合で含有されていることを特徴とする請求項２に記載の消臭用エアゾール製品。
【請求項４】
噴射剤が、液化石油ガス、ジメチルエーテルおよび圧縮ガスから選ばれた１種または２種以上よりなるものであることを特徴とする請求項１〜請求項３のいずれかに記載の消臭用エアゾール製品。
【請求項５】
生きている消臭性バクテリアを含有するイオン交換水に、炭素原子数が１〜３の低級脂肪族アルコールを添加することにより、当該低級脂肪族アルコールの濃度が０．５〜１５体積％の範囲内であり、当該消臭性バクテリアに対して栄養分となる物質が存在しない原液を調製する工程と、この原液を噴射剤と共にエアゾール容器内に充填する工程とを有することを特徴とする消臭用エアゾール製品の製造方法。
【発明の詳細な説明】
【０００１】
【発明の属する技術分野】
本発明は、消臭用エアゾール製品およびその製造方法に関する。
【０００２】
【従来の技術】
現在、環境問題の一つとして悪臭の問題があり、各種の企業、家庭、学校、その他の場所において、人間や動物の生活あるいは活動、または食物などの有機物の腐敗によって生ずる、排泄物、腐敗物、その他の臭気発生物質からの臭気に対して種々の方策が図られている。
そして、生活環境における臭気の対策として、芳香剤、防臭剤、脱臭剤または消臭剤などを用いることが知られている。
【０００３】
芳香剤は空間に芳香を放出することにより、また防臭剤は特定の香りを放出する物質を適用することにより、特定の環境における臭気をマスキングするものである。また、脱臭剤は、臭気物質を物理的吸着などを利用して臭気の程度を緩和するものである。
しかしながら、これらは、いずれも臭気源物質そのものを処理するものではなく、従って臭気源はそのままであるから、本質的に臭気の問題を解決するものとはいえない。
【０００４】
一方、消臭剤は、化学的作用あるいは生物的作用によって臭気源物質を分解し変質させることにより、臭気を除去または緩和するものであり、従って、本質的に臭気の問題が解決される点で好ましいものである。
そして、従来、消臭効果を得るために、種々の化合物や微生物を利用することが提案されている。
【０００５】
しかしながら、家庭や学校などの生活環境において、簡便に使用することができて確実な消臭効果が得られ、しかも適用される環境に対する悪影響がなくていわゆる環境に優しい消臭剤は知られていない。
例えば、ある種の微生物は、その活動によって臭気源物質が分解されるために消臭作用を発揮することが知られているが、そのような消臭性微生物を利用するためには種々の制限や条件が必要であって、その管理および適用が実際上相当に困難である。
【０００６】
【発明が解決しようとする課題】
本発明は、以上のような事情に基づいてなされたものであって、本発明の目的は、消臭性バクテリアの活動を利用して消臭効果が得られる消臭用エアゾール製品を提供することにある。
また、本発明の他の目的は、消臭性バクテリアを利用する消臭用エアゾール製品を有利に製造することのできる方法を提供することにある。
【０００７】
【課題を解決するための手段】
本発明の消臭用エアゾール製品は、イオン交換水と、生きている消臭性バクテリアと、炭素原子数が１〜３の低級脂肪族アルコールとを含有してなり、当該低級脂肪族アルコールの濃度が０．５〜１５体積％の範囲内であり、当該消臭性バクテリアに対して栄養分となる物質が存在しない原液が、噴射剤と共に、エアゾール容器内に充填されてなることを特徴とする。
【０００８】
以上において、消臭性バクテリアとしては、バシルスサブチリス（Ｂａｃｉｌｌｕｓ  ｓｕｂｔｉｌｉｓ）、バシルスメガテリウム（Ｂａｃｉｌｌｕｓ  ｍｅｇａｔｅｒｉｕｍ）、およびバシルスリケニフォルムス（Ｂａｃｉｌｌｕｓ  ｌｉｃｈｅｎｉｆｏｒｍｕｓ）の３種が混合された芽胞菌であることが好ましい。
【０００９】
また、原液においては、消臭性バクテリアが１×１０4 〜１×１０11個／ミリリットルの割合で含有されていることが好ましい。
更に、噴射剤が、液化石油ガス、ジメチルエーテルおよび圧縮ガスから選ばれた１種または２種以上よりなるものであることが好ましい。
【００１０】
本発明の消臭用エアゾール製品の製造方法は、生きている消臭性バクテリアを含有するイオン交換水に、炭素原子数が１〜３の低級脂肪族アルコールを添加することにより、当該低級脂肪族アルコールの濃度が０．５〜１５体積％の範囲内であり、当該消臭性バクテリアに対して栄養分となる物質が存在しない原液を調製する工程と、この原液を噴射剤と共にエアゾール容器内に充填する工程とを有することを特徴とする。
【００１１】
【作用】
本発明の消臭用エアゾール製品によれば、消臭性バクテリアは、エアゾール容器内において、イオン交換水および炭素原子数が１〜３の低級脂肪族アルコールが特定の濃度で含有された、当該消臭性バクテリアに対して栄養分となる物質が存在しない原液中に存在するため、そのままでは積極的に活動することがなく、従って消臭用エアゾール製品として安定であって十分な保存性が得られる。
【００１２】
しかも、噴射剤の作用によってエアゾール容器から原液を噴出させて臭気源物質に適用すると、低級脂肪族アルコールは大気中に揮散するために消臭性バクテリアが直ちに活動を開始するので、消臭性バクテリアによる消臭効果を確実に得ることができる。そして、原液の適用のためには単に噴射させればよいので、その操作がきわめて簡便である。
従って、消臭性バクテリアという微生物を利用するものでありながら、別段の意を用いる必要なしに、きわめて容易に管理および適用することのできる消臭剤が提供される。
【００１３】
また、本発明の消臭用エアゾール製品の製造方法によれば、既に消臭性バクテリアが含有されたイオン交換水に炭素原子数が１〜３の低級脂肪族アルコールが添加されることによって、当該低級脂肪族アルコールが特定の濃度で含有された、当該消臭性バクテリアに対して栄養分となる物質が存在しない原液が調製されるため、原液の調製過程において当該低級脂肪族アルコールが高濃度となる状況が生ずることがなく、従って、生きている消臭性バクテリアが当該低級脂肪族アルコールによってダメージを受けることが防止された状態で所期の原液を調製することができ、従って、目的とする消臭用エアゾール製品を確実に製造することができる。
【００１４】
【発明の実施の形態】
以下、本発明について詳細に説明する。
本発明の消臭用エアゾール製品は、消臭性バクテリアを含有するイオン交換水に炭素原子数が１〜３の低級脂肪族アルコールを添加したものを原液とし、この原液と適宜の噴射剤とが、噴射バルブ装置を備えた耐圧性のエアゾール容器内に充填されることにより、構成されている。
【００１５】
原液は、イオン交換水を主体としており、これに消臭性バクテリアが含有されている。
本発明で用いる消臭性バクテリアは、その活動によって臭気源物質となっている化合物が分解され、それによって消臭作用を発揮して消臭効果が得られるものであれば、特に限定されるものではない。
実際には、芽胞菌に属するバクテリアを用いることが好ましい。
【００１６】
本発明においては、特に下記（１）〜（７）から選ばれた消臭性バクテリアを用いることが好ましい。
（１）アルスロバクター（Ａｒｔｈｒｏｂａｃｔｅｒ）
（２）ノカルディア（Ｎｏｃａｒｄｉａ）
（３）マイコバクテリウム（Ｍｙｃｏｂａｃｔｅｒｉｕｍ）
（４）バシルスサブチリス（Ｂａｃｉｌｌｕｓ  ｓｕｂｔｉｌｉｓ）
（５）バシルスメガテリウム（Ｂａｃｉｌｌｕｓ  ｍｅｇａｔｅｒｉｕｍ）
（６）バシルスリケニフォルムス（Ｂａｃｉｌｌｕｓ  ｌｉｃｈｅｎｉｆｏｒｍｕｓ）
（７）アルカリゲネス（Ａｌｃａｌｉｇｅｎｅｓ）
【００１７】
以上の消臭性バクテリアは、その１種のみを用いてもよいが、複数種のものを混合状態で用いることが好ましく、それにより、臭気源物質を構成する複数の化合物に対して有効な消臭作用が得られる。それは、消臭性バクテリアの種類によって、消臭作用が有効に発揮される臭気源化合物の種類が異なり、複数の消臭性バクテリアが混在することにより、複合的な消臭作用が得られる場合が多いからである。
【００１８】
具体的には、上記の消臭性バクテリアのうち、（４）のバシルスサブチリス、（５）のバシルスメガテリウム、および（６）のバシルスリケニフォルムスの三者を混合して用いることが最も好ましく、その場合の混合比は、限定されるものではないが、個数で２５〜４０：２５〜４０：２５〜４０である。
【００１９】
また、（４）のバシルスサブチリスと（５）のバシルスメガテリウムとの二者を混合して用いることが次に好ましく、その場合の混合比は、限定されるものではないが、個数で３０〜７０：３０〜７０である。
特に単独で用いる場合には、（４）のバシルスサブチリスが最も好ましい。
【００２０】
後述するエチルアルコールを含有する原液において、消臭性バクテリアは、例えば、１×１０4 〜１×１０11個／ミリリットルの割合で含有されていることが好ましく、実際には１×１０5 〜１×１０9 個／ミリリットルの割合であることが好ましく、特に１×１０6 〜１×１０8 個／ミリリットルの割合であることが好ましい。
消臭性バクテリアの割合が１×１０4 個／ミリリットルより小さい場合には、消臭性バクテリアによる活動量が少ないために、実際に十分な消臭作用を得ることができないおそれがある。一方、消臭性バクテリアの数が１×１０11個／ミリリットルである状態は、事実上、殆ど飽和状態であって、却ってその活動が十分に行われないおそれがある。
【００２１】
原液には、炭素原子数が１〜３の低級脂肪族アルコールが含有されるが、その具体例としては、エチルアルコールおよびイソプロピルアルコールを好ましいものとして挙げることができる。この低級脂肪族アルコールの濃度は、用いられる消臭性バクテリアの種類にもよるが、０．５〜１５体積％の範囲内であって通常は１〜５体積％であることが好ましく、特に２〜３体積％であってもよい。
この低級脂肪族アルコールの濃度は１５体積％以下であることが必要であり、１５体積％を超えると原液に存在する消臭性バクテリアが死滅するおそれが大きい。一方、低級脂肪族アルコールの濃度が過小の場合には、エアゾール容器内において必要な低級脂肪族アルコールによる消臭性バクテリアの発芽抑制効果が不十分となるおそれがあり、当該消臭性バクテリアが既に発芽してしかも死滅してしまっている場合には、適用されたときに当該消臭性バクテリアによる活動の程度が低いものとなるために、目的とする消臭作用を十分に得ることができない場合がある。
【００２２】
消臭性バクテリアは、通常、イオン交換水中に飽和または飽和に近い状態（例えば、１×１０11個／ミリリットルの割合で含有される状態）で消臭性バクテリアを含有させたバクテリア原液の状態で調製されて保存される。
そして、このようなバクテリア原液をイオン交換水に添加し、得られるバクテリア希釈液に、所定の濃度となる量の炭素原子数が１〜３の低級脂肪族アルコールを添加することにより、原液が調製される。
この原液の調製において、水性媒体としてイオン交換水が用いられる理由は、消臭性バクテリアに対する栄養分が含有されないからである。
【００２３】
このような方法によって原液が調製されることにより、消臭性バクテリアが存在する環境が低級脂肪族アルコールの濃度が高い状態となることがなく、従って当該低級脂肪族アルコールの作用によって消臭性バクテリアがダメージを受けることが確実に回避される。その結果、当該消臭性バクテリアによる所期の作用効果が確実に発揮されることとなる。
以上において、エチルアルコールとしては、例えば純度９５％の変性エタノールを用いることができる。
【００２４】
本発明の消臭性バクテリアを含有する原液中には、当該消臭性バクテリアの状態を損なわないものであれば、すなわち、当該消臭性バクテリアがダメージを受けず、かつ発芽を促進させない種類および範囲であれば、種々の添加成分を含有させることができる。
その具体例としては、例えば、粉末、香料、染料、その他を挙げることができる。これらの添加成分は、その種類によっても異なるが、通常、原液における含有割合の合計が１０．０質量％以下、好ましくは１．０質量％以下となる量で添加することができる。
【００２５】
上記の原液は、適宜の噴射剤と共に、エアゾール容器内に充填される。ここに噴射剤は、消臭性バクテリアに対して悪影響を与えるものでなければ、特に限定されず、種々のものを用いることができ、具体的には、液化石油ガス、ジメチルエーテルおよび圧縮ガスを挙げることができる。また、圧縮ガスとしては、窒素ガス、圧縮空気、アルゴンガス、炭酸ガス、その他を挙げることができる。これらの噴射剤は、１種のみでなく、２種以上のものを併用することもできる。これらのうち、本発明において、噴射剤としては、ジメチルエーテルまたは窒素ガスが好ましく、特にジメチルエーテルを用いることが好ましい。
【００２６】
原液と噴射剤の割合は特別なものではなく、例えば原液の全量が確実に噴射される割合であればよい。具体的には、噴射剤がジメチルエーテルである場合においては、原液は５０〜９０体積％、好ましくは６０〜８０体積％の範囲とされ、噴射剤は、原液の割合に応じて１０〜５０体積％、好ましくは２０〜４０体積％の範囲とされる。
【００２７】
以上の原液と噴射剤とはエアゾール容器内に充填されるが、本発明において、エアゾール容器は特に限定されるものではなく、通常この種の用途に供されているものをそのまま用いることができる。
【００２８】
以上のような構成による消臭用エアゾール製品においては、エアゾール容器中において、消臭性バクテリアが含有される媒体がイオン交換水であるため、当該消臭性バクテリアに対して栄養分となる物質が存在せず、しかも炭素原子数が１〜３の低級脂肪族アルコールが含有されているため、当該消臭性バクテリアが、発芽などの活動を生ずることが事実上ほとんど抑止された状態、いわば仮死状態を保った状態となる。しかも低級脂肪族アルコールの濃度が制限されていることにより、当該消臭性バクテリアが死滅するなどのダメージを受けることがほとんどない。
従って、当該消臭用エアゾール製品は、保存性が高くて長期間にわたってその原液の性能が変化することがない。
【００２９】
以上のような好適な状態が維持される理由は、原液が充填される容器がエアゾール容器であって、外部大気からの密閉性が高いものだからである。すなわち、消臭性バクテリアの活動が事実上停止されてしかも死滅しない仮死状態が、エアゾール容器によって確実に維持されるのである。
【００３０】
また、この消臭用エアゾール製品は、噴射剤の作用によってエアゾール容器から原液を噴射させ、例えば臭気源物質に適用すると、原液中の低級脂肪族アルコールは直ちに大気中に揮散してしまうので、消臭性バクテリアの活動を停止させておく原因が消失し、従って、臭気源物質に当該消臭性バクテリアが接触することにより、直ちにその活動が開始され、発芽が生じて増殖する。このような消臭性バクテリアの活動の結果、臭気源物質が分解を受けてその臭気が消え、あるいは大幅に緩和されることとなる。
【００３１】
このように、本発明の消臭用エアゾール製品によれば、消臭性バクテリアという微生物を利用するものでありながら、当該消臭性バクテリアの保存あるいは管理のために必要な条件がエアゾール容器内において十分に整えられているため、実際上、保存や管理のための作業や注意などが全く不要であり、しかも十分に長い保存期間を得ることができる。
【００３２】
また、適用に際しては、単にエアゾール容器の噴射バルブを操作して内容物である原液を噴射させて臭気源物質に接触させるのみでよく、臭気源物質に手を触れる必要もなく、きわめて衛生的に短時間で消臭処理を行うことができ、しかもこのように簡便でありながら、消臭作用が微生物によって発揮されるものであることにより、環境を汚染するような弊害を伴わずに、臭気源物質に対して消臭処理を施すことができる。
【００３３】
本発明の消臭用エアゾール製品は、消臭性バクテリアが有効である限り、いずれの臭気源物質に対しても適用することができる。従って、臭気源物質によって用いる消臭性バクテリアの種類を選択することも可能であり、これによって例えば特殊な臭気源物質に対して高い消臭作用を発揮させることができる。
【００３４】
以上の説明からも理解されるように、本発明の消臭用エアゾール製品は、広い範囲にわたって適用することができるものであり、家庭や学校、その他の自然人の生活環境における消臭効果が求められる場所や臭気源物質に対して、例えばトイレ、エアコン、残飯などの生ゴミの処理や、動物の飼育場、その他の臭気が発生する個所に適用することができる。
また、本発明の消臭用エアゾール製品は、その適用方法が限定されるものではなく、臭気源物質などに直接的に適用すること以外に、適宜のキャリア材に消臭用エアゾール製品の原液を塗布することによって消臭用部材を作成し、これを適宜の空間や個所に配置することにより、臭気源物質に接触させる手法を利用することもできる。
【００３５】
〔実施例〕
イオン交換水に、消臭性バクテリアとして、バシルスサブチリス、バシルスメガテリウムおよびバシルスリケニフォルムスを均等に混合し、これにより、１×１０11個／ミリリットルの割合で消臭性バクテリアが含有されたバクテリア原液を調製した。
次に、イオン交換水にこのバクテリア原液を添加することにより、１×１０9 個／ミリリットルの割合で消臭性バクテリアが含有されたバクテリア希釈液を調製し、このバクテリア希釈液に対して、純度９５％の変性エチルアルコールを徐々に添加することにより、エチルアルコール濃度が２．５体積％であり、かつ消臭性バクテリアが１×１０7 個／ミリリットルの割合で含有された原液を調製した。
このようにして得られた原液とジメチルエーテルよりなる噴射剤とを、前者が６５体積％、後者が３５体積％となる割合で、バルブを有するアルミニウム缶よりなる耐圧性エアゾール容器内に充填し、これにより、本発明の消臭用エアゾール製品を製造した。
【００３６】
〔実験〕
上記の消臭用エアゾール製品を用いて、以下の実験を行った。
容量１リットルの気密性テドラーバッグ内に空気１リットルを入れた上、濃度３０質量％のアンモニア水を２００倍に希釈した水溶液３６マイクロリットルを加え、ドライヤーで気化させてアンモニア含有エアを作成し、そのアンモニア濃度を測定した。
縦９ｃｍ、横１５ｃｍの上質紙片の一面に対し、上記の消臭用エアゾール製品を５秒間噴射して原液を塗布することにより消臭用試験片を作成し、この消臭用試験片を、別途用意した容量１リットルの気密性テドラーバッグ内に入れた後、直ちに上記のアンモニア含有エアの全部を当該テドラーバッグ内に充填し、充填直後、５分間経過後、１０分間経過後および２０分間経過後のアンモニア残存率を求めた。結果は、図１において曲線Ａで示すとおりである。
【００３７】
また、消臭用試験片の作成において、消臭用エアゾール製品の噴射時間を１０秒間および２０秒間に変更したこと以外は、上記と同様の実験を行い、アンモニア残存率を求めた。それぞれの結果は、図１において曲線Ｂおよび曲線Ｃで示すとおりである。
【００３８】
なお、消臭用試験片の代わりに消臭用エアゾール製品を適用しないままの同一の上質紙片を用いたこと以外は、上記と同様の実験を行い、アンモニア残存率を求めた。結果は、図１において曲線Ｄで示すとおりである。
【００３９】
以上の結果から、本発明の消臭用エアゾール製品によれば、アンモニア含有エアに消臭用試験片が接触した直後から消臭効果が現れ、時間の経過と共にその効果が増進することが明らかであり、特に、多量の原液を付着させた消臭用試験片を用いると、その効果が顕著であることが理解される。
【００４０】
また、上記と同様にして製造した消臭用エアゾール製品を、温度２５℃、常圧の雰囲気に３カ月保存した後に、上記と同様の実験を行ったところ、図１の結果と同様の結果が得られることが確認された。
このことから、本発明の消臭用エアゾール製品は保存性が優れたものであり、長期間の保存後にも、所期の消臭作用が得られることが確認された。
【００４１】
【発明の効果】
本発明の消臭用エアゾール製品によれば、消臭性バクテリアは、エアゾール容器内において、炭素原子数が１〜３の低級脂肪族アルコールが含有されたイオン交換水中に存在するため、そのままでは積極的に活動することがなく、従って消臭用エアゾール製品として安定であって十分な保存性が得られる。
【００４２】
しかも、噴射剤の作用によってエアゾール容器から原液を噴出させて臭気源物質に適用すると、低級脂肪族アルコールが大気中に揮散するために消臭性バクテリアが直ちに活動を開始するので、消臭性バクテリアによる消臭効果を確実に得ることができる。そして、原液の適用のためには単に噴射させればよいので、その操作がきわめて簡便である。
従って、消臭性バクテリアという微生物を利用するものでありながら、別段の意を用いる必要なしに、きわめて容易に管理および適用することのできる消臭剤が提供される。
【００４３】
また、本発明の消臭用エアゾール製品の製造方法によれば、既に消臭性バクテリアが含有されたイオン交換水に炭素原子数が１〜３の低級脂肪族アルコールが添加されることによって原液が調製されるため、原液の調製過程においてエチルアルコールが高濃度となる状況が生ずることがなく、従って、生きている消臭性バクテリアが当該低級脂肪族アルコールによってダメージを受けることが防止された状態で所期の原液を調製することができ、従って、目的とする消臭用エアゾール製品を確実に製造することができる。
【図面の簡単な説明】
【図１】本発明の消臭用エアゾール製品による消臭作用を確認するために行った実験例の結果を示すグラフである。
【図１】
0004689092.tif 000002